(57)【特許請求の範囲】
【請求項１】
複数の画面に分割可能な表示部を有し、この表示部を複数に分割した各分割画面として使用するか、各分割画面を合わせた統合画面として使用するかの制御を行う電子機器であって、
第１の位置情報と第２の位置情報を取得する位置取得手段と、
前記表示部を複数の画面に分割して使用するための分割制御、及び、前記第１の位置情報を含む地図データと前記第２の位置情報を含む地図データとを別々の当該分割画面に表示させる表示制御をする第１の制御手段と、
前記表示部を統合画面として使用するための統合制御、及び、前記第１及び第２の位置情報を含めた地図データを当該統合画面に表示させる表示制御をする第２の制御手段と、
前記第１及び第２の位置情報を含めた地図データを前記表示部に所定の縮尺で表示することができるか否かを判別する判別手段と、
この判別手段による判別結果に基づいて、前記第１の制御手段による制御と前記第２の制御手段による制御とを切り替える第１の切替手段と、
前記判別手段による判別結果に拘わらず、前記第１の制御手段による制御と前記第２の制御手段による制御とを操作部の操作によって切り替える第２の切替手段と、
前記電子機器の機器本体を構成する筐体の配置状態を示すスタイルを検出するスタイル検出手段と、
を具備し、
前記第１の切替手段は、前記第１の制御手段による分割制御及び表示制御をしている状態にあって、前記判別手段によって、前記第１及び第２の位置情報を含めた地図データを前記表示部に所定の縮尺で表示することができると判別された場合に、前記第２の制御手段による統合制御及び表示制御をするように切り替え、
前記スタイル検出手段によって検出されたスタイルが、前記操作部のほとんどが露出していないために前記第２の切替手段の切り替えが困難なスタイルであれば、前記第１の切替手段による制御の切り替えを行い、前記操作部の操作によって前記第２の切替手段の切り替えが容易なスタイルであれば、当該制御の切り替えを抑制する、
ようにしたことを特徴とする電子機器。
【請求項２】
前記第１の切替手段は、前記第２の制御手段による統合制御及び表示制御をしている状態にあって、前記判別手段によって、前記第１及び第２の位置情報を含めた地図データを前記表示部に所定の縮尺で表示することができないと判別された場合に、前記第１の制御手段による分割制御及び表示制御をするように切り替える、
ようにしたことを特徴とする請求項１記載の電子機器。
【請求項３】
前記所定の縮尺は、ユーザ操作に応じて設定された縮尺であり、
前記判別手段は、前記表示部を統合画面として使用する場合に、前記第１及び第２の位置情報を含めた地図データを当該統合画面に前記所定の縮尺で表示することができるか否かを判別する、
ようにしたことを特徴とする請求項１記載の電子機器。
【請求項４】
前記第１の切替手段によって前記第１の制御手段による制御と前記第２の制御手段による制御とを切り替えた旨を報知する報知手段を更に設けた、
ことを特徴とする請求項１記載の電子機器。
【請求項５】
前記位置取得手段は、第１の位置情報、第２の位置情報のうち、少なくともそのいずれか一方の位置情報を一定時間毎に取得する、
ようにしたことを特徴とする請求項１記載の電子機器。
【請求項６】
コンピュータに対して、
第１の位置情報と第２の位置情報を取得する機能と、
表示部を複数の画面に分割して使用するための分割制御、及び、前記第１の位置情報を含む地図データと前記第２の位置情報を含む地図データとを別々の当該分割画面に表示させる表示制御をする機能と、
前記表示部を統合画面として使用するための統合制御、及び、前記第１及び第２の位置情報を含めた地図データを当該統合画面に表示させる表示制御をする機能と、
前記第１及び第２の位置情報を含めた地図データを前記表示部に所定の縮尺で表示することができるか否かを判別する機能と、
前記判別結果に基づいて、前記分割制御及び前記分割画面に地図データを表示させる表示制御と、前記統合制御及び前記統合画面に地図データを表示させる表示制御とを切り替える第１の切替機能と、
前記判別結果に拘わらず、前記分割制御及び前記分割画面に地図データを表示させる表示制御と、前記統合制御及び前記統合画面に地図データを表示させる表示制御とを操作部の操作によって切り替える第２の切替機能と、
電子機器の機器本体を構成する筐体の配置状態を示すスタイルを検出する機能と、
を実現させ、
前記第１の切替機能は、前記分割制御及び前記分割画面に地図データを表示させる表示制御をしている状態にあって、前記判別する機能によって、前記第１及び第２の位置情報を含めた地図データを前記表示部に所定の縮尺で表示することができると判別された場合に、前記統合制御及び前記統合画面に地図データを表示させる表示制御をするように切り替え、
前記検出する機能によって検出されたスタイルが、前記操作部のほとんどが露出していないために前記第２の切替機能の切り替えが困難なスタイルであれば、前記第１の切替機能による制御の切り替えを行い、前記操作部の操作によって前記第２の切替機能の切り替えが容易なスタイルであれば、当該制御の切り替えを抑制する、
ようにしたことを特徴とするプログラム。
【発明の詳細な説明】
【技術分野】
【０００１】
この発明は、複数の画面に分割可能な表示部を有し、この表示部を複数に分割した各分割画面として使用するか、各分割画面を合わせた統合画面として使用するかの制御を行う電子機器及びプログラムに関する。
【背景技術】
【０００２】
近年、歩行者支援用として、自己の現在の位置情報と相手の現在の位置情報とを取得し、両者の位置情報を地図上に表示するようにしたナビゲーション機能を搭載した携帯電話装置が実用化されている。このナビゲーション機能によって両者の位置情報を地図上に表示するものとしては、自己の位置情報を含む地図と相手の位置情報を含む地図とを別々の画面で表示する技術のほか、両者の位置情報を含む地図を１つの画面で表示する技術が知られている（特許文献１参照）。
【特許文献１】特開平０７−１５２９９７号公報
【発明の開示】
【発明が解決しようとする課題】
【０００３】
この場合、前者の先行技術は、自己の位置を含む地図と相手の位置を含む地図を別画面表示することで、各地図を拡大表示することができ、自己と相手の近辺の様子を詳細に確認することができるという効果を有する。また、後者の先行技術は、両者の位置を含む地図を１画面表示することで、自己と相手との位置関係を容易に確認することができるという効果を有する。しかしながら、前者の技術では自己と相手との位置関係を確認することが困難となり、後者の技術では自己と相手の近辺の詳細を確認することが困難となり、両技術ともそれぞれ一長一短があった。
【０００４】
そこで、自己と相手の位置を別々の画面で表示する方法と、１つの画面で自己と相手の位置を表示する方法をユーザ操作によって任意に切り替え可能とすることも考えられるが、互いに接近して相手と出会うような場合に、両者が遠く離れていれば、１画面表示に切り替えて両者の位置関係を確認したとしても、あまり意味があるものとはいえず、また、両者がかなり接近していれば、別画面表示に切り替えて各人の近辺の様子を確認したとしても、あまり意味があるとはいえない。
【０００５】
この発明の課題は、ユーザに特別な操作を負わせることなく、地図表示を制御して、第１の位置と第２の位置における近辺の詳細や位置関係を確認できるようにすることである。
【課題を解決するための手段】
【０００６】
請求項１記載の発明は、複数の画面に分割可能な表示部を有し、この表示部を複数に分割した各分割画面として使用するか、各分割画面を合わせた統合画面として使用するかの制御を行う電子機器であって、第１の位置情報と第２の位置情報を取得する位置取得手段と、前記表示部を複数の画面に分割して使用するための分割制御、及び、前記第１の位置情報を含む地図データと前記第２の位置情報を含む地図データとを別々の当該分割画面に表示させる表示制御をする第１の制御手段と、前記表示部を統合画面として使用するための統合制御、及び、前記第１及び第２の位置情報を含めた地図データを当該統合画面に表示させる表示制御をする第２の制御手段と、前記第１及び第２の位置情報を含めた地図データを前記表示部に所定の縮尺で表示することができるか否かを判別する判別手段と、この判別手段による判別結果に基づいて、前記第１の制御手段による制御と前記第２の制御手段による制御とを切り替える第１の切替手段と、前記判別手段による判別結果に拘わらず、前記第１の制御手段による制御と前記第２の制御手段による制御とを操作部の操作によって切り替える第２の切替手段と、前記電子機器の機器本体を構成する筐体の配置状態を示すスタイルを検出するスタイル検出手段と、を具備し、前記第１の切替手段は、前記第１の制御手段による分割制御及び表示制御をしている状態にあって、前記判別手段によって、前記第１及び第２の位置情報を含めた地図データを前記表示部に所定の縮尺で表示することができると判別された場合に、前記第２の制御手段による統合制御及び表示制御をするように切り替え、前記スタイル検出手段によって検出されたスタイルが、前記操作部のほとんどが露出していないために前記第２の切替手段の切り替えが困難なスタイルであれば、前記第１の切替手段による制御の切り替えを行い、前記操作部の操作によって前記第２の切替手段の切り替えが容易なスタイルであれば、当該制御の切り替えを抑制する、ようにしたことを特徴とする。
更に、コンピュータに対して、上述した請求項１記載の発明に示した主要機能を実現させるためのプログラムを提供する（請求項６記載の発明）。
【０００７】
なお、上述した請求項１記載の発明は次のようなものであってもよい。
前記第１の切替手段は、前記第２の制御手段による統合制御及び表示制御をしている状態にあって、前記判別手段によって、前記第１及び第２の位置情報を含めた地図データを前記表示部に所定の縮尺で表示することができないと判別された場合に、前記第１の制御手段による分割制御及び表示制御をするように切り替える（請求項２記載の発明）。
前記所定の縮尺は、ユーザ操作に応じて設定された縮尺であり、前記判別手段は、前記表示部を統合画面として使用する場合に、前記第１及び第２の位置情報を含めた地図データを当該統合画面に前記所定の縮尺で表示することができるか否かを判別する（請求項３記載の発明）。
【００１０】
前記第１の切替手段によって前記第１の制御手段による制御と前記第２の制御手段による制御とを切り替えた旨を報知する報知手段を更に設ける（請求項４記載の発明）。
【００１２】
前記位置取得手段は、第１の位置情報、第２の位置情報のうち、少なくともそのいずれか一方の位置情報を一定時間毎に取得する（請求項５記載の発明）。
【発明の効果】
【００１３】
この発明によれば、ユーザに特別な操作を負わせることなく、地図表示を制御することができ、第１と第２の位置毎にその近辺の様子を詳細に確認できるほか、第１と第２の位置関係を容易に確認することができるなど、実用効果の高いものとなる。
【発明を実施するための最良の形態】
【００１４】
以下、図１〜図１１を参照して本発明の実施例を説明する。
この実施例は、電子機器として適用した携帯電話装置における通信ネットワークシステムを示したブロック図である。
携帯電話装置１は、最寄りの基地局２、交換機３から無線通信網（公衆移動体通信網）４に接続されているほか、この無線通信網４を介してインターネット５に接続されている。携帯電話装置１は、通話機能、電子メール機能、インターネット接続機能（Ｗｅｂアクセス機能）のほか、ナビゲーション機能が備えられている。
【００１５】
ナビゲーション機能は、例えば、歩行者支援用の機能で、自己の現在の位置情報と相手の現在の位置情報とを取得して両者の位置情報を地図上に案内表示するようにしたもので、互いに接近して待合せ相手と出会うような場合などに活用されるが、その活用の仕方は任意である。ここで、「自己の位置情報」とは、自己の携帯電話装置１の現在位置を示し、ＧＰＳ（Global Positioning System）衛星６から受信した信号に基づいて算出して取得してもよいし、無線通信網４を介して接続されている位置情報管理サーバ７から受信取得してもよいし、更にはインターネット５、無線通信網４を介してナビゲーションサービス装置８から受信取得してもよい。
【００１６】
また、「相手の位置情報」とは、例えば、待合せ相手が所持している携帯電話装置１の現在位置を示し、無線通信網４を介して相手の携帯電話装置１から受信取得してもよいし、無線通信網４を介して接続されている位置情報管理サーバ７から受信取得してもよいし、更にはインターネット５、無線通信網４を介してナビゲーションサービス装置８から受信取得してもよい。なお、位置情報管理サーバ７は、携帯電話装置１の位置を管理しているサーバであり、ナビゲーションサービス装置８は、サービスに加入している携帯電話装置１の位置を管理したり、携帯電話装置１からのサービス要求に応じて地図データを要求元の携帯電話装置１に送信したりする装置である。また、地図データは、ナビゲーションサービス装置８からダウンロード受信したものであってもよく、着脱可能な記録メディア（図示せず）から特定地域の地図データを入手したものであってもよく、地図データの入手の仕方は任意である。
【００１７】
図２は、回転２軸型の携帯電話装置１の概略外観図である。
装置本体を構成する２つの筐体１Ａ、１Ｂは、ヒンジ部１Ｃを介して開閉可能に連結されているほか、回転軸（縦軸）を介して回転可能に連結されたもので、装置本体を複数のスタイルに変更可能となっている。図２（１）は２つの筐体１Ａ、１Ｂを開いたオープンスタイルを示し、（２）はオープンスタイルから筐体１Ａを１８０度回転させたのちに筐体１Ｂに重ねた状態のビュースタイルを示した図である。なお、オープンスタイルにおいて筐体１Ａを筐体１Ｂに重ねた状態がクローズスタイルとなる。筐体１Ａは、表示部筐体であり、その内面側（クローズスタイルで互いに対面する側）には、高精細液晶あるいは有機ＥＬを使用した表示部ＤＰが配置されている。筐体１Ｂは、操作部筐体であり、その内面側には押ボタン式の各種キーを備えた操作部ＫＢが配置されている。なお、操作部ＫＢは、表示パネルの上に透明タッチセンサを積層配置したタッチスクリーン（タッチパネル表示部）を構成するものであってもよい。
【００１８】
図３は、携帯電話装置１の基本的な構成要素を示したブロック図である。
中央制御部１１は、ＲＯＭ１２内の各種のプログラムに応じてこの携帯電話装置の全体動作を制御する。ＲＯＭ１２のプログラム領域には、後述する図７〜図１１に示す動作手順に応じて本実施例を実現するためのプログラムが格納されており、また、ＲＯＭ１２のデータ領域には、出荷初期時の待受画像などが記憶されている。ＲＡＭ１３は、例えば、ワーク領域を有する内部メモリで、後述する位置情報記憶部Ｍ１、設定情報記憶部Ｍ２などが設けられている。無線通信部１４は、アンテナに接続された送受信部（ベースバンド部）の受信側から信号を取り込んで受信ベースバンド信号に復調したのち、音声信号処理部１５を介して受話スピーカＳＰから音声出力させる。また、無線通信送受信部１４は、送話マイクＭＣから入力された音声データを音声信号処理部１５から取り込み、送信ベースバンド信号に符号化したのちに送受信部の送信側に与えられてアンテナから送信出力させる。
【００１９】
表示部ＤＰは、その全体が長方形の画面であり、この画面全体をその縦方向の中心部分を境に複数の画面（２つの画面）に論理的に分割した分割画面として使用可能なほか、各分割画面を合わせた統合画面として使用可能なもので、中央制御部１１は、ナビゲーション機能において地図データを表示部ＤＰに表示させる場合に、表示部ＤＰの全体画面を統合画面として使用するか、２つの画面に分割した分割画面として使用するかを決定してその表示制御を行うようにしている。
【００２０】
すなわち、自己の位置情報と相手の位置情報とを含めた地図データを表示部ＤＰに所定の縮尺で表示することができるか否か、言い換えれば、自己の位置情報と相手の位置情報とを含む所定縮尺の地図データを表示部ＤＰの統合画面内に表示させることができるか否かをその地図サイズと画面サイズを比較することによって判別する。その結果、距離的に両者が離れていて、両者の位置情報を含めた地図を所定の縮尺では表示することができない場合には、表示部ＤＰを２つの画面に分割して使用するための制御を行うほか、自己の位置情報を含む地図データと相手の位置情報を含む地図データとを別々の分割画面に拡大表示させる表示制御をする。また、自己と相手とがかなり近づくことによって、両者の位置情報を含めた所定縮尺の地図データを統合画面内に表示させることができる場合には、表示部ＤＰを統合画面として使用するための制御を行い、両者の位置情報を含めた地図データを当該統合画面に所定の縮尺で表示させる表示制御をするようにしている。
【００２１】
以下、位置毎にその周辺の地図データを各分割画面に拡大表示させる表示制御を“個別表示（別画面表示）”と呼称し、また、各位置を含む地図データを統合画面に所定の縮尺で表示させる表示制御を“同時表示（１画面表示）”と呼称すると、中央制御部１１は、上述のように両者の距離と地図縮尺との関係から両者の位置情報を含む所定縮尺の地図データを表示できる否かの判別結果に応じて“個別表示”と“同時表示”とを自動的に切り替えるようにしている。このように中央制御部１１は、自己と相手との距離関係などに応じて“個別表示”と“同時表示”との自動切り替えを行うほか、後述する切替タイマに応じて“個別表示”と“同時表示”とを定期的に切り替えるタイマ切り替えを行うようにしている。
【００２２】
操作部ＫＢは、ダイヤル入力、文字入力、コマンド入力などを行うもので、中央制御部１１は、操作部ＫＢから入力された操作信号に基づいてその操作に応じた処理を実行する。ＲＴＣ（リアルタイムクロックモジュール）１７は、時計部を構成するもので、中央制御部１１は、ＲＴＣ１７から現在日時を取得する。振動発生部１６は、振動モータを備え、バイブレーション報知を行う。
【００２３】
スタイル検出部１８は、回転２軸型の装置本体を構成する２つの筐体１Ａ、１Ｂの位置関係に応じて変化する各スタイルを検出可能なもので、磁気センサあるいはマイクロスイッチなどによって構成され、クローズスタイル、オープンスタイル、ビュースタイルなどを検出するもので、中央制御部１１は、このスタイル検出部１８からの検出信号に基づいて現在のスタイルを判別する。ＧＰＳ受信部１９は、自己の現在位置を得るためにＧＰＳ衛星６からの信号を受信する。
【００２４】
図４は、位置情報記憶部Ｍ１を説明するための図である。
位置情報記憶部Ｍ１は、定期的（例えば、３０秒毎）に取得した自己の位置情報と相手の位置情報とを対応付けて記憶するもので、「日時」、「自己の位置情報」、「相手の位置情報」の各項目を有する構成となっている。「日時」は、位置情報を取得した日時を示し、「自己の位置情報」、「相手の位置情報」は、自己、相手の現在の位置を示す経緯度情報である。なお、待合せ相手と出会うために互いに接近する場合には、自己及び相手の携帯電話装置１は移動体となるが、目的地に向かって進行している場合には、相手（目的地）の位置は変わらないため、その位置情報を定期的に取得する必要がないので、「相手の位置情報」の項目には最初に取得した位置情報のみを記憶するようにしている。
【００２５】
図５は、設定情報記憶部Ｍ２を説明するための図である。
設定情報記憶部Ｍ２は、ナビゲーション機能に関する各種の設定情報を記憶するもので、この設定情報の「種類」に対応してその「内容」を記憶する構成となっている。すなわち、設定情報記憶部Ｍ２は、予めユーザ操作によって任意に設定された情報であり、「縮尺」、「取得タイマ」、「切替タイマ」に対してその「内容」を記憶する構成となっている。「縮尺」は、表示部ＤＰを統合画面として使用して地図データを表示する場合に、その地図の縮尺（例えば、１／５００など）を示している。
【００２６】
「取得タイマ」は、自己の位置情報と相手の位置情報（移動体の位置情報）を定期的に取得するための時間を計測する減算タイマの設定値であり、図示の例では、“３０秒”毎に各位置情報を取得すべきことが設定された場合である。「切替タイマ」は、定期的に“個別表示”と“同時表示”とを切り替えるための時間を計測する減算タイマの設定値であり、図示の例では、“１０秒”毎に表示切り替えを行うべきことが設定された場合である。
【００２７】
図６は、ビュースタイルでのナビゲーション表示例で、自己の位置と相手の位置に対応してその周辺の地図を分割画面に拡大表示する“個別表示”と、自己及び相手の位置を含む地図を統合画面に表示する“同時表示”の具体的を示した図である。
図６（１）は、個別表示の場合、（２）は、同時表示の場合を示し、また、図中、黒丸の印は、自己の位置情報を示し、黒の星印は、相手の位置情報を示している。図６（１）に示す個別表示例において、表示部ＤＰの画面全体を２つに分割した各分割画面のうち、その下側の分割画面は、自己の位置情報を含む地図データがその画面サイズに拡大表示された画面であり、また、上側の分割画面は、相手の位置情報を含む地図データがその画面サイズに拡大表示された画面である。図６（２）に示す同時表示例においては、表示部ＤＰの画面全体を統合画面とした場合で、自己と相手の位置情報を含む地図データが設定情報記憶部Ｍ２の「縮尺」で表示される。
【００２８】
次に、この実施例における携帯電話装置１の動作概念を図７〜図１１に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、伝送媒体を介して外部供給されたプログラム／データを利用してこの実施例特有の動作を実行することもできる。
【００２９】
図７は、電源投入に伴って実行開始される携帯電話装置１の全体動作を示したフローチャートである。
先ず、中央制御部１１は、電源を投入する電源オン操作が行われると（ステップＡ１でＹＥＳ）、無線通信部１４を作動させるほか、所定の待受画像を読み出して表示させる待受処理を行う（ステップＡ２）。この待受状態において中央制御部１１は、設定情報記憶部Ｍ２に対する設定操作の有無をチェックし（ステップＡ３）、その設定操作が行われると、設定情報記憶部Ｍ２への設定処理に移る（ステップＡ４）。この設定処理は、ユーザ操作に応じて設定情報記憶部Ｍ２の「縮尺」、「取得タイマ」、「切替タイマ」に対応してその「内容」を任意に設定する処理である。また、待受状態において中央制御部１１は、ナビゲーション機能の起動を指示する操作が行われたか否かの操作有無を調べ（ステップＡ５）、このナビゲーション操作が行われた場合には、それに応答してナビゲーション処理に移る（ステップＡ６）。
【００３０】
図８及び図９は、ナビゲーション処理（図７のステップＡ６）を詳述するためのフローチャートである。
先ず、中央制御部１１は、ナビゲーション機能の起動時にその初期化処理として「同時表示フラグ」をリセットする（ステップＢ１）。この「同時表示フラグ」は、自己と相手の位置情報とを含む地図データを統合画面に表示する“同時表示”の場合にセットされるフラグであり、ナビゲーション機能の起動時には、この「同時表示フラグ」に“０”を書き込むことによってそれをリセットしておく。
【００３１】
ここで、ナビゲーション相手を指定するための操作として、例えば、地図上でのポイント指定、住所入力、名称入力などが行われると（ステップＢ２）、中央制御部１１は、自己の位置情報（現在位置情報）のほか、この相手の位置情報（現在位置情報）を取得する（ステップＢ３）。この場合、上述したように自己の位置情報をＧＰＳ衛星６から受信した信号に基づいて算出して取得してもよいし、無線通信網４を介して接続されている位置情報管理サーバ７から受信取得してもよいし、更にはインターネット５、無線通信網４を介してナビゲーションサービス装置８から受信取得してもよい。また、相手の位置情報を無線通信網４を介して相手の携帯電話装置１から受信取得してもよいし、無線通信網４を介して接続されている位置情報管理サーバ７から受信取得してもよいし、更にはインターネット５、無線通信網４を介してナビゲーションサービス装置８から受信取得してもよい。
【００３２】
このようにして取得した自己の位置情報及び相手の位置情報とＲＴＣ１７から取得した現在日時（取得日時）とを対応付けて位置情報記憶部Ｍ１に記憶させたのち（ステップＢ４）、中央制御部１１は、スタイル検出部１８から検出信号を取り込んで現在のスタイルの判別を行う（ステップＢ５）。その結果、現在のスタイルがビュースタイルであれば（ステップＢ６でＹＥＳ）、表示制御Ａ処理の実行に移り（ステップＢ７）、ビュースタイル以外のスタイルであれば（ステップＢ６でＮＯ）、表示制御Ｂ処理の実行に移る（ステップＢ８）。
【００３３】
図１０は、ビュースタイルで実行される表示制御Ａ処理（図８のステップＢ７）を詳述するためのフローチャートである。
先ず、中央制御部１１は、設定情報記憶部Ｍ２に設定されている「縮尺」を読み出し（ステップＣ１）、この設定縮尺で自己の位置情報と相手の位置情報とを含めた地図データを表示部ＤＰの全体画面（統合画面）に表示することができるか否かをその地図サイズと画面サイズとの比較によって判別する（ステップＣ２）。
【００３４】
その結果、距離的に両者が離れていて、両方の位置を含めた地図データを設定縮尺では表示することができない場合には（ステップＣ２でＮＯ）、表示部ＤＰを２つの画面に分割して使用するための制御を行うほか、拡大縮尺で自己の位置情報を含む近辺の地図データ（自己近辺の地図データ）を一方の分割画面に拡大表示させると共に、ステップＣ７）、拡大縮尺で相手の位置情報を含む地図データ（相手近辺の地図データ）を他方の分割画面に拡大表示させる（ステップＣ８）。これによって、ビュースタイルでは図６（１）に示すように自己の位置を含む近辺の地図は、表示部ＤＰの下側の分割画面に拡大表示され、また、相手の位置を含む近辺の地図は、表示部ＤＰの上側の分割画面に拡大表示される。
【００３５】
そして、「同時表示フラグ」は“１”であるか、つまり、“同時表示”の状態から“個別表示”の状態に切り替わった場合であるかを判別するが（ステップＣ９）、ナビゲーション機能を起動した時点では「同時表示フラグ」が“０”にセットされているので（ステップＣ９でＮＯ）、この表示制御Ａ処理から抜けるが、「同時表示フラグ」が“１”にセットされていれば（ステップＣ９でＹＥＳ）、“同時表示”の状態から“個別表示”の状態に切り替わった場合であるから、振動発生部１６を駆動してバイブレーションを発生させて、その切り替わりを報知したのち（ステップＣ１０）、「同時表示フラグ」を“０”にセットしておく（ステップＣ１１）。
【００３６】
また、自己と相手が近づくことによって、両位置を含む地図が表示可能となった場合には（ステップＣ２でＹＥＳ）、設定情報記憶部Ｍ２から読み出した設定縮尺で自己の位置情報と相手の位置情報とを含む地図データを表示部ＤＰに表示させる（ステップＣ３）。これによって、図６（２）に示すように、自己の位置情報及び相手の位置情報を含めた地図データが各分割画面を合わせた統合画面に表示される。そして、「同時表示フラグ」は“０”であるか、つまり、“個別表示”の状態から“同時表示”の状態に切り替わった場合かを判別する（ステップＣ４）。
【００３７】
いま、「同時表示フラグ」が“１”であれば（ステップＣ４でＮＯ）、つまり、“同時表示”の状態のままであれば、この表示制御Ａ処理から抜けるが、「同時表示フラグ」が“０”であれば（ステップＣ４でＹＥＳ）、“個別表示”の状態から“同時表示”の状態に切り替わった場合であるから、振動発生部１６を駆動してバイブレーションを発生させて、その切り替わりを報知したのち（ステップＣ５）、「同時表示フラグ」を“１”にセットしておく（ステップＣ６）。
【００３８】
図１１は、ビュースタイル以外のスタイルで実行される表示制御Ｂ処理（図８のステップＢ８）を詳述するためのフローチャートである。
ここで、上述したようにビュースタイルでは、自己と相手の距離情報と地図縮尺との関係から両位置を含む地図を表示可能か否かを判別し、この判別結果に応じて“個別表示”と“同時表示”とを自動的に切り替えるようにしたが、ビュースタイル以外のスタイル、例えば、オープンスタイルでは、筐体１Ｂ側に配置されている操作部ＫＢが使用可能となって、ユーザ操作で“個別表示”と“同時表示”との切り替えが可能となるため、この表示制御Ｂ処理では“個別表示”のみを行い、上述の自動切り替えを抑制するようにしている。
【００３９】
先ず、表示部ＤＰを２つの画面に分割して使用するための制御を行い、拡大縮尺で自己の位置情報を含む近辺の地図データ（自己近辺の地図データ）を一方の分割画面に拡大表示させ（ステップＤ１）、また、拡大縮尺で相手の位置情報を含む地図データ（相手近辺の地図データ）を他方の分割画面に拡大表示させる（ステップＤ２）。その後、「同時表示フラグ」を“０”にセットする（ステップＤ３）。
【００４０】
このようにスタイルに応じて表示制御Ａ処理（図８のステップＢ７）あるいは表示制御Ｂ処理（図８のステップＢ８）を実行したのちは、設定情報記憶部Ｍ２から「取得タイマ」、「切替タイマ」の設定値を読み出して、対応する取得タイマ、切替タイマの初期値としてセットし、この取得タイマ、切替タイマの計測動作を開始させる（図８のステップＢ９、Ｂ１０）。その後、図９のフローに移り、取得タイマがタイムアウトになったか（ステップＢ１１）、切替タイマがタイムアウトになったかを調べる（ステップＢ１２）。いま、取得タイマのタイムアウトを検出すると（ステップＢ１１でＹＥＳ）、図８のステップＢ３に戻り、自己及び相手の位置情報を取得して、現在日時と共に位置情報記憶部Ｍ１に記憶させたのち（ステップＢ４）、以下、上述と同様の動作が行われる。
【００４１】
また、切替タイマのタイムアウトを検出すると（図９のステップＢ１２でＹＥＳ）、自己の位置情報と相手の位置情報を同時に表示中か否か、つまり、“同時表示”中か“個別表示”中かを調べ（ステップＢ１３）、“個別表示”中であれば、“個別表示”から“同時表示”に切り替えるために、ステップＢ１４に移り、表示部ＤＰを統合画面として使用するための制御を行い、自己の位置情報と相手の位置情報を含む地図データを統合画面に表示可能な縮尺に変換して表示させる。
【００４２】
また、“同時表示”中であれば（ステップＢ１３でＹＥＳ）、“同時表示”から“個別表示”に切り替えるために、表示部ＤＰを２つの画面に分割して使用するための制御を行い、拡大縮尺で自己の位置情報を含む近辺の地図データを一方の分割画面に拡大表示させると共に（ステップＢ１５）、拡大縮尺で相手の位置情報を含む地図データを他方の分割画面に拡大表示させる（ステップＢ１６）。そして、切替タイマを再起動させたのち（ステップＢ１７）、上述のステップＢ１１に戻る。
【００４３】
一方、ユーザ操作によって“同時表示”と“個別表示”との切り替えを指示する切り替え操作が行われた場合にも（ステップＢ１８でＹＥＳ）、自己の位置情報と相手の位置情報を同時に表示中かを調べ（ステップＢ１３）、その結果、“個別表示”から“同時表示”への切り替え（ステップＢ１４）あるいは“同時表示”から“個別表示”への切り替えを行う（ステップＢ１５、Ｂ１６）。以下、ナビゲーションの終了を指示する終了操作が行われるまで（ステップＢ１９でＹＥＳ）、上述のステップＢ１１に戻り、上述の動作を繰り返すが、ナビゲーション終了操作が行われると（ステップＢ１９でＹＥＳ）、画面表示を消去するなどのナビゲーション終了処理を行ったのち（ステップＢ２０）、図７の待受状態に戻る。
【００４４】
なお、待受状態において中央制御部１１は、無線通信部１４から着信有無をチェックしたり（ステップＡ７）、電源オフ操作の有無（ステップＡ９）、その他の操作有無をチェックしたりする（ステップＡ１１）。ここで、着信ありを検出すると（ステップＡ７でＹＥＳ）、その相手との回線接続に応答して通話処理を行う（ステップＡ８）。また、電源オフ操作が行われると（ステップ０１９でＹＥＳ）、電源オフ処理を行うが（ステップＡ１０）、その他の操作が行われた場合には（ステップＡ１１でＹＥＳ）、操作に対応するその他の処理として、例えば、発信処理、メール作成処理などを行う（ステップＡ１２）。
【００４５】
以上のように、この実施例において中央制御部１１は、自己と相手の距離と地図縮尺との関係から両者の位置情報を含む所定縮尺の地図データを表示できる否かの判別結果に応じて“個別表示”と“同時表示”とを自動的に切り替えるようにしたので、ユーザに特別な操作を負わせることなく、地図表示を制御することができ、自己と相手の位置毎にその近辺の様子を詳細に確認できるほか、自己と相手の位置関係を容易に確認することができるなど、実用効果の高いものとなる。
【００４６】
ユーザ操作によって任意に設定した「縮尺」が設定情報記憶部Ｍ２に記憶されている状態において、表示部ＤＰを統合画面として使用する場合に、設定情報記憶部Ｍ２から「縮尺」を読み出し、自己と相手の位置情報を含めた地図データを当該統合画面に当該「縮尺」で表示することができるか否かを判別するようにしたので、ユーザが所望する縮尺で地図表示が可能となる。
【００４７】
中央制御部１１は、自己と相手の距離と地図縮尺との関係から両者の位置を含む地図を表示可能か否かの判別結果に応じて“個別表示”と“同時表示”とを自動的に切り替えるほか、切替タイマがタイムアウトとなる毎に“個別表示”と“同時表示”とを定期的に切り替えたり、ユーザからの切り替え操作が行われる毎に“個別表示”と“同時表示”と切り替えたりすることができ、利便性を高めることが可能となる。
【００４８】
中央制御部１１は、自己と相手の距離と地図縮尺との関係から両者の位置を含む地図を表示可能か否かの判別結果に応じて“個別表示”と“同時表示”とを切り替えた場合に、その切り替えられたことを報知するようにしたので、個別表示”から“同時表示”に切り替えられたことを知ることによって、ユーザは両者がある一定の距離より近くになったことを知ることが可能となる。また、“同時表示”から“個別表示”に切り替えられたことを知ることによって、ユーザは両者がある一定の距離より遠くになったことを知ることが可能となる。また“個別表示”と“同時表示”との誤認混同、見間違えなどを効果的に防ぐことが可能となる。
【００４９】
中央制御部１１は、スタイル検出部１８からの検出信号に基づいても現在のスタイルを判別した結果、ビュースタイルであれば、表示制御Ａ処理を実行し、自己と相手の距離と地図縮尺との関係から両者の位置を含む地図を表示可能か否かの判別結果に応じて“個別表示”と“同時表示”との切り替えを行い、ビュースタイル以外のスタイルであれば、表示制御Ｂ処理を実行し、“個別表示”と“同時表示”との切り替えを行わず、“個別表示”のままとするようにしたので、例えば、ビュースタイル以外のスタイルのように操作し易いスタイル（多くの操作キーが露出しているスタイル）では操作によってその切り替えを行うことができ、ビュースタイルのように操作が困難なスタイル（操作キーのほとんどが露出していないスタイル）では自動切り替えが可能となり、便利なものとなる。
【００５０】
また、取得タイマのタイムアウトを検出すると、自己及び相手の位置情報を取得して、現在日時と共に位置情報記憶部Ｍ１に記憶させるようにしたから、定期的に最新の位置情報を得て表示することができる。
【００５１】
なお、上述した実施例においては、ナビゲーション機能の活用例として、自己の位置情報と相手の位置情報とを取得して両位置を地図上に表示することによって互いに接近して待合せ相手と出会うような場合を例示したが、目的地に出向く場合であってもよい。この場合、目的地の位置は不変のため、その位置情報を定期的に取得する必要がないので、位置情報記憶部Ｍ１の「相手の位置情報」の項目には、最初に取得した位置情報のみを記憶するようにすればよい。
また、位置情報は定期的に取得することに限らず、例えば、移動速度に応じて取得周期を可変とするようにしてもよいし、取得するタイミングは任意である。
また、自己の位置情報と相手の位置情報とをナビゲーションする場合に限らず、自己を含まない２者の位置情報をナビゲーションする場合にも適用可能である。
【００５２】
その他、電子機器としては携帯電話装置に限らず、例えば、ナビゲーション機能を備えたＰＤＡ、電子カメラ、電子腕時計、音楽再生機などにも同様に適用可能であり、また、車載用のカーナビゲーション装置であってもよい。
【図面の簡単な説明】
【００５３】
【図１】電子機器として適用した携帯電話装置における通信ネットワークシステムを示したブロック図。
【図２】回転２軸型の携帯電話装置１の概略外観図。
【図３】携帯電話装置１の基本的な構成要素を示したブロック図。
【図４】位置情報記憶部Ｍ１を説明するための図。
【図５】設定情報記憶部Ｍ２を説明するための図。
【図６】ビュースタイルでのナビゲーション表示例で、自己の位置と相手の位置に対応してその周辺の地図を分割画面に拡大表示する“個別表示”と、自己及び相手の位置を含む地図を統合画面に表示する“同時表示”の具体的を示した図で、（１）は、個別表示の場合、（２）は、同時表示の場合を示した図。
【図７】電源投入に伴って実行開始される携帯電話装置１の全体動作を示したフローチャート。
【図８】ナビゲーション処理（図７のステップＡ６）を詳述するためのフローチャート。
【図９】図８に続くフローチャート。
【図１０】ビュースタイルで実行される表示制御Ａ処理（図８のステップＢ７）を詳述するためのフローチャート。
【図１１】ビュースタイル以外のスタイルで実行される表示制御Ｂ処理（図８のステップＢ８）を詳述するためのフローチャート。
【符号の説明】
【００５４】
１  携帯電話装置
１Ａ、１Ｂ  筐体
４  無線通信網
５  インターネット
７  位置情報管理サーバ
８  ナビゲーションサービス装置
１１  中央制御部
１２  ＲＯＭ
１４  無線通信部
１７  ＲＴＣ
１６  振動発生部
１８  スタイル検出部
１９  ＧＰＳ受信部
ＤＰ  表示部
ＫＢ  操作部
Ｍ１  位置情報記憶部
Ｍ２  設定情報記憶部
【図１】
0004433002.tif 000002
【図２】
0004433002.tif 000003
【図３】
0004433002.tif 000004
【図４】
0004433002.tif 000005
【図５】
0004433002.tif 000006
【図６】
0004433002.tif 000007
【図７】
0004433002.tif 000008
【図８】
0004433002.tif 000009
【図９】
0004433002.tif 000010
【図１０】
0004433002.tif 000011
【図１１】
0004433002.tif 000012